(57)【特許請求の範囲】
【請求項１】
端末装置と無線通信する基地局であって、
前記端末装置のモビリティに関する第１の情報を受信する受信部と、
前記第１の情報に基づいて、基地局のスキャンに関する第２の情報を決定する決定部と、
前記第２の情報を、前記端末装置への無線設定要求メッセージに含めて送信する送信部と、を有し、
前記第２の情報が、基地局のスキャンを行わないように指示する情報である、基地局。
【請求項２】
前記第１の情報が、
前記端末装置のモビリティの程度が、予め定めた閾値以下であることを示す、請求項１に記載の基地局。
【請求項３】
前記第１の情報が、前記端末装置のモビリティの程度が、予め定めた閾値以下であることを示す場合に、
前記第２の情報が、基地局のスキャンを行わないように指示する情報である、
請求項１に記載の基地局。
【請求項４】
前記第１の情報が、前記端末装置の位置に関する第３の情報に基づいて決定される、請求項１乃至３のいずれかに記載の基地局。
【請求項５】
前記第１の情報が、コアネットワーク装置によって決定される、
請求項１乃至４のいずれかに記載の基地局。
【請求項６】
前記端末装置の位置に関する第３の情報が、前記端末装置から、コアネットワーク装置へ送信される、
請求項４乃至５のいずれかに記載の基地局。
【請求項７】
基地局と無線通信する端末装置であって、
前記端末装置のモビリティに関する第１の情報を受信した基地局から、
前記第１の情報に基づいて前記基地局が決定した基地局のスキャンに関する第２の情報であって、基地局のスキャンを行わないように指示する情報である前記第２の情報を含む無線設定要求メッセージを受信する、端末装置。
【請求項８】
無線通信システムにおけるコアネットワーク装置であって、
端末装置のモビリティに関する第１の情報を基地局へ送信し、
前記基地局が、前記第１の情報に基づいて前記基地局が決定した前記基地局のスキャンに関する第２の情報であって、基地局のスキャンを行わないように指示する情報である前記第２の情報を含む無線設定要求メッセージを、端末装置へ送信する、コアネットワーク装置。
【発明の詳細な説明】
【技術分野】
【０００１】
本発明は、無線通信する基地局、端末装置、およびコアネットワーク装置に関する。
【背景技術】
【０００２】
無線通信システムにおいて、端末装置は、基地局とコアネットワークを経由して、他の端末装置と無線通信を行う。
【０００３】
図１に、一般的な無線通信システムの構成例を示す。基地局２１〜２４はそれぞれ、それらの発信する電波が届く範囲である、セル２１０〜２４０を構成している。
【０００４】
端末装置１１は、基地局２１が構成する、セル２１０に在圏している。そして、端末装置１１は、端末装置１１に対して最も強い信号を発信している基地局２１を介して、他の端末装置１２と無線通信する。端末装置１１は、端末装置１２宛てに呼び出しを行う場合、まず、基地局２１へＲＦ（Ｒａｄｉｏ  Ｆｒｅｑｕｅｎｃｙ）信号を送信する。端末装置１２は、基地局２２が構成する、セル２２０に在圏している。基地局２１は、コアネットワーク３を介して、端末装置１２に対して最も強い信号を発信している基地局２２へ、そのＲＦ信号をルーティングする。その後、基地局２２は、端末装置１２へ、そのＲＦ信号を送信する。
【０００５】
ここで、例えば端末装置１１が移動した場合、端末装置１１に対して最も強い信号を発信する基地局は、基地局２１のままであるとは限らない。例えば、端末装置１１が、移動することによって、在圏するセルが２１０からセル２３０になった場合には、端末装置１１に対して最も強い信号を発信する基地局は、基地局２３となる。
【０００６】
よって、端末装置１１は、それまで通信していた基地局２１よりも、強い信号を発信している基地局がないかについて、探索する。このことを、スキャンという。スキャンによって、それまで通信していた基地局よりも強い信号を発信する基地局が見つかった場合、端末装置は、新たに見つかった基地局との間に通信チャネルを確立する。
【０００７】
ところで、スキャンの動作において、端末装置は、基地局との間の制御チャネル（例えば、報知チャネル）を通じて、基地局から信号を受信し、接続可能な基地局の識別子（ＣＳＩＤ：Ｃｅｌｌ  Ｓｔａｔｉｏｎ  ＩＤｅｎｔｉｆｉｅｒ）および受信電界強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）を認識する。端末装置は、通信品質が劣化した場合等を除いて、スキャンの動作を、定期的に行っている。よって、端末装置は、スキャンを行うために、バッテリーを消費している。
【０００８】
これについて特許文献１では、端末装置が、スキャンの必要性を判断し、不要なスキャンを行わないことについて記載されている。
【先行技術文献】
【特許文献】
【０００９】
【特許文献１】特開２０１０−８１４３７
【発明の概要】
【発明が解決しようとする課題】
【００１０】
この文献によれば、端末装置に備えられた変位量算出部が、無線通信端末の変位量を算出する。変位量が所定値以下であった場合、無線通信端末におけるスキャン停止部が、周辺の基地局のスキャンを実行しないようにする。この文献の技術では、端末装置がスキャンの実行の必要性を判断することとなり、この動作にも、電力が消費されている。
【００１１】
本発明は、上記の問題に鑑み、基地局が状況に応じてスキャンの必要性を判断し、端末装置が不要なスキャンを行うことによる消費電力および、端末装置がスキャンの必要性を判断するために消費される電力を抑制することを目的とする。
【課題を解決するための手段】
【００１２】
そこで本発明では、端末装置と無線通信する基地局であって、前記端末装置のモビリティに関する第１の情報を受信する受信部と、前記第１の情報に基づいて、基地局のスキャンに関する第２の情報を決定する決定部と、前記第２の情報を、前記端末装置へ送信する送信部と、を有する、基地局であることを特徴としている。
【発明の効果】
【００１３】
本発明の側面によれば、基地局が、状況に応じてスキャンの必要性を判断し、端末装置へスキャンの是非を指示することによって、端末装置は、不要なスキャンを行うことによる消費電力および、スキャンの必要性の判断に消費される電力を抑制することができる。
【００１４】
これにより、端末装置の消費電力を抑制することが可能となる。
【図面の簡単な説明】
【００１５】
【図１】一般的な通信システムの構成例を示すブロック図
【図２】本発明の実施形態に係る端末装置１の構成の一例を示すブロック図
【図３】本発明の実施形態に係る基地局２の構成の一例を示すブロック図
【図４】本発明の実施形態に係るコアネットワーク装置３の構成の一例を示すブロック図
【図５】本発明の実施形態に係る動作を示す、シーケンス図
【図６】本発明の実施形態に係る動作を示す、シーケンス図
【図７】本発明の実施形態に係る動作を示す、シーケンス図
【図８】本発明の実施形態に係る動作を示す、シーケンス図
【発明を実施するための形態】
【００１６】
以下、本発明の実施の形態について図面を参照して詳細に説明する。
【００１７】
図１は、上述したとおり、一般的な通信システムの構成例を示すブロック図である。本発明の実施形態においても、通信システムについては、図１のような一般的な構成を有することとする。
【００１８】
（第１の実施形態）
図２は、本発明の実施形態に係る端末装置１の構成の一例を示すブロック図である。端末装置１は、表示部１１１、入力部１１２、無線インターフェース部１１３、制御部１１４、およびメモリ１１７を有している。制御部１１４は、位置測定部１１５およびスキャン部１１６を有している。
【００１９】
ユーザーは、表示部１１１に表示された内容に従って、入力部１１２へ情報を入力する。入力された情報は、制御部１１４へ送信され、メモリ１１７へ登録される。
【００２０】
端末装置１は、無線インターフェース部１１３を介して、基地局２との間で信号を送受信する。端末装置１は、無線インターフェース部１１３から基地局２を介して、コアネットワーク装置３との間で信号を送受信する。端末装置１が基地局２から受信した信号は、制御部１１４へ送信される。受信した信号の示す内容に応じて、スキャン部１１６が、スキャンを行う。
【００２１】
位置測定部１１５は、端末装置１の位置を測定し、端末装置１の位置に関する情報を取得する。端末装置１の位置は、ＧＰＳ（Ｇｌｏｂａｌ  Ｐｏｓｉｔｉｏｎｉｎｇ  Ｓｙｓｔｅｍ）によって測定しても良い。ＧＰＳによる方法としては、例えば、ＧＮＳＳ（Ｇｌｏｂａｌ  Ｎａｖｉｇａｔｉｏｎ  Ｓａｔｅｌｌｉｔｅ  Ｓｙｓｔｅｍ）による方法があげられる。この場合には、端末装置１に設置されたＧＰＳ信号受信部（図示せず）が、ＧＰＳ衛星から、ＧＰＳ信号を受信する。そして、位置測定部１１５が、端末装置１の位置を測定する。この位置は、具体的には、端末装置１が在圏する経緯度であっても良い。
【００２２】
また、位置測定部１１５は、端末装置１が接続している基地局の位置（セルの範囲）を現在位置として、現在位置から、端末装置１の位置を推定しても良い。この際、位置測定部１１５は、端末装置１が接続している基地局のセルＩＤ（ＩＤｅｎｔｉｆｉｅｒ）を用いても良い。
【００２３】
また、位置測定部１１５は、基地局から受信した信号の強度を、予め設定された電波マップに照合して、端末装置１の位置を測定しても良い。電波マップとは、例えば、端末装置１が基地局から受信する信号の強度と、端末装置１と基地局との間の距離との関係を示したものであっても良い。
【００２４】
さらに、位置測定部１１５は、基地局から信号を受信したタイミングに基づいて、端末装置１の位置を測定しても良い。この場合においても、電波マップを用いても良い。この方法としては、例えば、ＯＴＤＯＡ（Ｏｂｓｅｒｖｅｄ  Ｔｉｍｅ  Ｄｉｆｆｅｒｅｎｃｅ  Ｏｆ  Ａｒｒｉｖａｌ）による方法があげられる。
【００２５】
そして、位置測定部１１５は、基地局から受信した信号の角度に基づいて、端末装置１の位置を測定しても良い。この場合においても、電波マップを用いても良い。この方法としては、例えば、Ｅ−ＣＩＤ（Ｅｎｈａｎｃｅｄ−Ｃｅｌｌ  ＩＤｅｎｔｉｆｉｅｒ）を用いた方法があげられる。
【００２６】
メモリ１１７には、ユーザーに関する情報の他に、位置測定部１１５が取得した、端末装置１の位置に関する情報が記憶されていても良い。さらに、メモリ１１７には、位置測定部１１５が位置を測定する際に用いた、ＧＰＳ信号、基地局のセルＩＤ、電波マップ、基地局から受信した信号の強度等が記憶されていても良い。
【００２７】
メモリ１１７には、端末装置１のモビリティについて、予め設定された閾値が記憶されていても良い。この場合には、制御部１１４が、位置測定部１１５によって測定された端末装置１の位置に関する情報に基づいて、端末装置１のモビリティの程度を算出し、算出されたモビリティの程度を、予め設定された閾値と比較しても良い。ここで、位置測定部１１５は、測定した端末装置１の位置に関する情報を複数回取得しても良く、制御部１１４は、端末装置１の位置に関する情報の履歴に基づいて、端末装置１のモビリティの程度を算出しても良い。
【００２８】
制御部１１４が比較した結果、端末装置１のモビリティの程度が予め設定された閾値以下であった場合には、端末装置１が低モビリティであるという情報が、メモリ１１７に記憶されても良い。
【００２９】
また、制御部１１４が、端末装置１の位置に関する情報の履歴から、端末装置１の位置の変化が特定の値以下であると判断した場合にも、端末装置１が低モビリティであるという情報が、メモリ１１７に記憶されても良い。
【００３０】
なお、端末装置１が低モビリティであるという情報は、予め、メモリ１１７にインプットされていても良い。
【００３１】
メモリ１１７には、このような端末装置１のモビリティの程度を示す情報等、端末装置１のモビリティに関する種々の情報が、記憶されていても良い。
【００３２】
図３は、本発明の実施形態に係る基地局２の構成の一例を示すブロック図である。基地局２は、無線アクセスネットワークインターフェース部２１１、コアインターフェース部２１２、制御部２１３、およびメモリ２１５を有している。制御部２１３は、信号処理部２１４を有している。
【００３３】
基地局２は、無線アクセスネットワークインターフェース部２１１およびコアインターフェース部２１２を介して、端末装置１や他の基地局および、コアネットワーク装置３との間で信号を送受信する。無線アクセスネットワークインターフェース部２１１およびコアインターフェース部２１２は、例えば無線周波数（ＲＦ：Ｒａｄｉｏ  Ｆｒｅｑｕｅｎｃｙ）回路やベースバンド（ＢＢ：Ｂａｓｅ  Ｂａｎｄ）回路等を用いて構成されていても良い。また、無線アクセスネットワークインターフェース部２１１およびコアインターフェース部２１２は、送信信号の変調・符号化や受信信号の復調・復号等を行っても良い。
【００３４】
制御部２１３における信号処理部２１４は、上記各インターフェース部２１１および２１２を介して送信される各種信号を生成する。
【００３５】
メモリ２１５は、上記各インターフェース部２１１および２１２を介して端末装置１やコアネットワーク装置３へ送信される、各種信号を記憶していても良い。また、メモリ２１５は、上記各インターフェース部２１１および２１２を介して端末装置１やコアネットワーク装置３から受信した、各種信号を記憶していても良い。
【００３６】
以下、本実施形態にかかる動作について、図５のシーケンス図を用いて説明する。
【００３７】
まず、端末装置１は、基地局２へ、端末装置１のモビリティに関する第１の情報を送信する（Ｓ１１）。
【００３８】
第１の情報とは、上述したような、端末装置１のモビリティの程度を示す情報であっても良い。また、第１の情報とは、端末装置１のモビリティの程度が、予め定めた閾値以下であること、つまり、端末装置１が低モビリティであることを示す情報であっても良い。さらに、第１の情報とは、端末装置１の位置に関する情報であっても良い。  なお、第１の情報が、端末装置１の位置に関する情報である場合には、基地局２は、端末装置１から第１の情報を複数回受信し、端末装置１の位置に関する情報の履歴情報から、端末装置１のモビリティの程度を算出しても良い。
【００３９】
次に、基地局２は、受信した第１の情報に基づいて、基地局のスキャンに関する第２の情報を決定する（Ｓ１２）。
【００４０】
第２の情報とは、基地局のスキャンを行うように端末装置１へ指示する情報であっても良い。一方、第２の情報とは、基地局のスキャンを行わないように指示する情報であっても良い。さらに、第２の情報とは、端末装置１が基地局へ特定のメッセージを送信しないように指示する情報であっても良い。
【００４１】
ここで、第２の情報は、第１の情報が、端末装置１のモビリティの程度が、予め定めた閾値以下であることを示す場合に、基地局のスキャンを行わないように指示する情報であっても良い。
【００４２】
一方、第２の情報は、第１の情報が、端末装置１のモビリティの程度が、予め定めた閾値よりも大きいことを示す場合に、基地局のスキャンを行うように指示する情報であっても良い。
【００４３】
しかし、端末装置１の変位量が所定値以下であっても、端末装置１が基地局のスキャンを行う必要がある場合もある。例えば、端末装置１が接続していた基地局２のセルが、輻輳していたとする。この場合、端末装置１は、輻輳しているセルから、他のセル、例えばオーバーレイセルへハンドオーバすることによって、輻輳を回避することができる。このような状況において、基地局２は、端末装置１へ、他のセルの基地局をスキャンするよう、指示することができる。つまり、第１の情報が、端末装置１のモビリティの程度が、予め定めた閾値以下であることを示す場合であっても、状況によっては、基地局２は、第２の情報として、他の基地局のスキャンを行うように指示する情報を決定することができる。こうすることによって、低モビリティであると判断された端末装置１が、一概にスキャンを行わないようにするのではなく、基地局２が、状況に応じてスキャンの必要性を判断し、端末装置１へ柔軟に、スキャンに関する指示をすることができる。  続いて基地局２は、決定した第２の情報を、端末装置１へ送信する（Ｓ１３）。こうして、端末装置１は、自身のモビリティに関する情報に基づいて決定された、基地局のスキャンに関する情報を、基地局２から受信することができる。
【００４４】
本実施形態によれば、端末装置１は、基地局のスキャンに関する情報の決定に電力を消費することなく、自身のモビリティに関する情報に応じて、また種々の状況に応じて、基地局のスキャンに関する動作のトリガーを得ることができる。
【００４５】
（第２の実施形態）
本実施形態では、第２の情報が、基地局２から端末装置１へ、無線設定要求メッセージに含めて送信される。
【００４６】
また、本実施形態では、第１の実施形態で説明した端末装置１と基地局２に加えて、コアネットワーク装置３を用いる。
【００４７】
図４は、本発明の実施形態に係るコアネットワーク装置３の構成の一例を示すブロック図である。
【００４８】
コアネットワーク装置３は、基地局インターフェース部３１１、ネットワークインターフェース部３１２、制御部３１３およびメモリ３１５を有している。制御部３１３は、端末管理部３１４を有している。
【００４９】
コアネットワーク装置３は、基地局インターフェース部３１１を介して、基地局２と間で信号を送受信する。コアネットワーク装置３は、基地局インターフェース部３１１から基地局２を介して、端末装置１との間で信号を送受信する。またコアネットワーク装置３は、ネットワークインターフェース部３１２を介して、インターネット等の外部ネットワークと接続する。
【００５０】
制御部３１３は、端末装置１から受信した信号に基づいて、端末装置１の位置やモビリティに関する情報を読み取る。そして、端末管理部３１４が、端末装置１に関する情報を管理する。
【００５１】
端末装置１や基地局２に関する各種情報は、メモリ３１５に記憶されていても良い。
【００５２】
本実施形態にかかる動作については、図６のシーケンス図を用いて説明する。
【００５３】
まず、端末装置１が、コアネットワーク装置３へ、接続要求（Ｓｅｒｖｉｃｅ  Ｒｅｑｕｅｓｔ）を行う（Ｓ２１）。
【００５４】
次に、コアネットワーク装置３は、基地局２へ、コンテクスト確立要求メッセージを送信する（Ｓ２２）。このメッセージは、必要な、端末装置１の初期のコンテクストを設定するために送信される。端末装置１の初期のコンテクストとは、例えば、Ｅ−ＲＡＢ（Ｅ−ＵＴＲＡＮ  Ｒａｄｉｏ  Ａｃｃｅｓｓ  Ｂｅａｒｅｒ）  Ｃｏｎｔｅｘｔ、Ｓｅｑｕｒｉｔｙ  Ｋｅｙ、Ｈａｎｄｏｖｅｒ  Ｒｅｓｔｒｉｃｔｉｏｎ  Ｌｉｓｔ、ＵＥ  Ｒａｄｉｏ  Ｃａｐａｂｉｌｉｔｙ、ＵＥ  Ｓｅｃｕｒｉｔｙ  Ｃａｐａｂｉｌｉｔｉｅｓ等を含む。なお、このメッセージは、Ｉｎｉｔｉａｌ  Ｃｏｎｔｅｘｔ  Ｓｅｔｕｐ  Ｒｅｑｕｅｓｔメッセージや、Ａｔｔａｃｈ  Ａｃｃｅｐｔメッセージであっても良い。
【００５５】
その後、基地局２は、端末装置１へ、端末能力要求（ＵＥ  Ｃａｐａｂｉｌｉｔｙ  Ｅｎｑｕｉｒｙ）メッセージを送信する（Ｓ２３）。このメッセージは、基地局２が、端末装置１の通信能力を知るために、送信するものである。
【００５６】
すると、端末装置１は、基地局２へ、端末能力通知（ＵＥ  Ｃａｐａｂｉｌｉｔｙ  Ｉｎｆｏｒｍａｔｉｏｎ）メッセージを送信する（Ｓ２４）。本実施形態においては、端末装置１は、このメッセージに、第１の情報を含める。本実施形態における第１の情報は、第１の実施形態で説明した第１の情報と同様である。
【００５７】
続いて、基地局２は、第１の情報に基づいて、第２の情報を決定する（Ｓ２５）。本実施形態における第２の情報は、第１の実施形態で説明した第２の情報と同様である。
【００５８】
基地局２は、端末装置１へ、無線設定要求メッセージを送信する（Ｓ２６）。本実施形態においては、基地局２は、このメッセージに、第２の情報を含める。このメッセージは、ＲＲＣ（Ｒａｄｉｏ  Ｒｅｓｏｕｒｃｅ  Ｃｏｎｔｒｏｌ）  Ｃｏｎｎｅｃｔｉｏｎ  Ｒｅｃｏｎｆｉｇｕｒａｔｉｏｎメッセージであっても良い。
【００５９】
なお、ＲＲＣ  Ｃｏｎｎｅｃｔｉｏｎ  Ｒｅｃｏｎｆｉｇｕｒａｔｉｏｎメッセージは、無線ベアラの設定、変更、解除、また、ハンドオーバの実行や、端末装置１による測定の設定、変更、解除等に用いられる。
【００６０】
本実施形態によれば、端末装置１は、基地局のスキャンに関する情報の決定に電力を消費することなく、基地局２からの無線設定要求メッセージを受信するタイミングで、自身のモビリティに関する情報に応じて、また種々の状況に応じて、基地局のスキャンに関する動作のトリガーを得ることができる。
【００６１】
（第３の実施形態）
本実施形態にかかる動作については、図７のシーケンス図を用いて説明する。
【００６２】
本実施形態では、第１の情報が、端末装置１からではなく、コアネットワーク装置３から、基地局２へ送信される。
【００６３】
まず、コアネットワーク装置３は、端末装置１へ、端末装置１の位置に関する第３の情報を送信するよう、要求することができる（Ｓ３１）。コアネットワーク装置３は、端末装置１へ、定期的にこの要求を行うことができる。この場合、コアネットワーク装置３が端末装置１へ要求を行う回数やタイミングは、適宜設定することができる。
【００６４】
第３の情報とは、第１の実施形態において説明したような、端末装置１における位置測定部１１５が測定した、端末装置１の位置に関する情報や、位置測定部１１５が位置を測定する際に用いたものであっても良い。また、第３の情報とは、端末装置１のモビリティに関する情報であっても良い。
【００６５】
次に、端末装置１は、第３の情報を、コアネットワーク装置３へ送信する（Ｓ３２）。ここで、端末装置１は、上記ステップ（Ｓ３１）によってコアネットワーク装置３から第３の情報を要求されなくとも、自発的に、コアネットワーク装置３へ第３の情報を送信しても良い。
【００６６】
コアネットワーク装置３は、受信した第３の情報に基づいて、第１の情報を決定することができる（Ｓ３３）。
【００６７】
また、コアネットワーク装置３は、端末装置１から第３の情報を受信した回数が、予め規定した回数以上となった場合に、第１の情報を決定しても良い。
【００６８】
例えば、第３の情報が、端末装置１が在圏する経緯度を示すものであるとき、第３の情報が示す経緯度に、規定の回数以上、変更がない、もしくは、変更が予め設定した範囲内である、という場合に、コアネットワーク装置３は、第１の情報として、端末装置１が低モビリティであるということを決定することができる。
【００６９】
また、第３の情報が、基地局のセルＩＤであった場合、第３の情報が示すセルＩＤに規定の回数以上、変更がない、もしくは、変更が予め設定した範囲内である、という場合に、コアネットワーク装置３は、第１の情報として、端末装置１が低モビリティであるということを決定することができる。
【００７０】
なお、上記の規定の回数や、予め設定した範囲とは、例えばコアネットワーク装置３にて自由に設定することができる。
【００７１】
続いてコアネットワーク装置３は、基地局２へ、第１の情報を送信する（Ｓ３４）。
【００７２】
基地局２は、第１の情報に基づいて、第２の情報を決定し（Ｓ３５）、第２の情報を、端末装置１へ送信する（Ｓ３６）。
【００７３】
本実施形態における第２の情報は、第１の実施形態で説明した第２の情報と同様である。
【００７４】
こうして、端末装置１は、自身のモビリティに関する情報に基づいて決定された、基地局のスキャンに関する情報を、基地局２から受信することができる。
【００７５】
本実施形態によれば、端末装置１は、基地局のスキャンに関する情報の決定だけでなく、基地局のスキャンに関する情報が基づく、自身のモビリティに関する情報の決定にも、電力を消費することなく、自身のモビリティに関する情報に応じて、また種々の状況に応じて、基地局のスキャンに関する動作のトリガーを得ることができる。さらに本実施形態においては、端末装置１において、第１の情報を決定して基地局２へ送信するという対応が不要であり、端末装置への実装の煩雑さを回避することができる。
【００７６】
（第４の実施形態）
本実施形態にかかる動作については、図８のシーケンス図を用いて説明する。
【００７７】
本実施形態では、第２の情報が、基地局２から端末装置１へ、無線設定要求メッセージに含めて送信される。
【００７８】
本実施形態における動作のうち、ステップ（Ｓ４１）〜（Ｓ４３）に関しては、第３の実施形態において説明したステップ（Ｓ３１）〜（Ｓ３３）と同様である。
【００７９】
本実施形態において、ステップ（Ｓ４４）以降の動作について説明する。
【００８０】
端末装置１が、コアネットワーク装置３へ、接続要求（Ｓｅｒｖｉｃｅ  Ｒｅｑｕｅｓｔ）を行う（Ｓ４４）。
【００８１】
次に、コアネットワーク装置３は、コンテクスト確立要求メッセージを生成するとともに、このメッセージに、第１の情報を設定する（Ｓ４５）。この際、コアネットワーク装置３がステップ（Ｓ４３）において決定した第１の情報が、メモリ３１５に保存されていても良い。その場合、ここで、制御部３１３が、メモリ３１５内で第１の情報を検索しても良い。
【００８２】
そして、コアネットワーク装置３は、基地局２へ、コンテクスト確立要求メッセージを送信する（Ｓ４６）。このメッセージは、第２の実施形態において説明したものと同様である。
【００８３】
続いて、基地局２は、第１の情報に基づいて、第２の情報を決定する（Ｓ４７）。本実施形態における第２の情報は、第１の実施形態で説明した第２の情報と同様である。
【００８４】
基地局２は、端末装置１へ、無線設定要求メッセージを送信する（Ｓ４８）。このメッセージは、第２の実施形態において説明したものと同様である。
【００８５】
本実施形態によれば、端末装置１は、基地局のスキャンに関する情報の決定だけでなく、基地局のスキャンに関する情報が基づく、自身のモビリティに関する情報の決定にも、電力を消費することなく、基地局２からの無線設定要求メッセージを受信するタイミングで、自身のモビリティに関する情報に応じて、また種々の状況に応じて、基地局のスキャンに関する動作のトリガーを得ることができる。さらに本実施形態においては、端末装置１において、第１の情報を決定して基地局２へ送信するという対応が不要であり、端末装置への実装の煩雑さを回避することができる。
【００８６】
以上、本発明の実施形態を説明した。本発明は上述した実施形態に限定されるものではなく、本発明の要旨の範囲内において種々に変形して実施をすることが可能である。上述した実施形態は例示であり、実施形態の組合せやそれらの各構成要素や各処理プロセスの組合せに様々な変形例が可能なこと、またそうした変形例も本発明の範囲にあることは、当業者に理解されるところである。
【００８７】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。
【００８８】
また、本明細書において説明した基地局は、例えば、通信処理部、要求部、情報取得部、及び／又は報告部等の構成要素を備えるものであってもよい。さらに、これらの構成要素を備えるモジュール（例えば、基地局装置、又は基地局装置のためのモジュール）が提供されてもよい。また、当該構成要素の処理を含む方法が提供されてもよく、当該構成要素の処理をプロセッサに実行させるためのプログラムが提供されてもよい。また、当該プログラムを記録した記録媒体が提供されてもよい。当然ながら、このようなモジュール、方法、プログラム及び記録媒体も本発明に含まれる。
【００８９】
また、本明細書において説明した端末装置は、例えば、ＲＦ（Ｒａｄｉｏ  Ｆｒｅｑｕｅｎｃｙ）トランシーバ、アンテナ、ベースバンドプロセッサ、アプリケーションプロセッサ、およびメモリ等の構成要素を有するものであってもよい。
【００９０】
ＲＦトランシーバ（ＲＦ）トランシーバは、基地局と通信するためにアナログＲＦ信号処理を行う。ＲＦトランシーバにより行われるアナログＲＦ信号処理は、周波数アップコンバージョン、周波数ダウンコンバージョン、及び増幅を含むものであってもよい。ＲＦトランシーバは、アンテナ及びベースバンドプロセッサと結合されるものであってもよい。すなわち、ＲＦトランシーバは、変調シンボルデータ（又はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルデータ）をベースバンドプロセッサから受信し、送信ＲＦ信号を生成し、送信ＲＦ信号をアンテナに供給してもよい。また、ＲＦトランシーバは、アンテナによって受信された受信ＲＦ信号に基づいてベースバンド受信信号を生成し、これをベースバンドプロセッサに供給してもよい。
【００９１】
ベースバンドプロセッサは、無線通信のためのデジタルベースバンド信号処理（データプレーン処理）とコントロールプレーン処理を行う。デジタルベースバンド信号処理は、（ａ） データ圧縮／復元、（ｂ）データのセグメンテーション／コンカテネーション、（ｃ）伝送フォーマット（伝送フレーム）の生成／分解、（ｄ）伝送路符号化／復号化、（ｅ）変調（シンボルマッピング）／復調、及び（ｆ）Ｉｎｖｅｒｓｅ  Ｆａｓｔ  Ｆｏｕｒｉｅｒ  Ｔｒａｎｓｆｏｒｍ（ＩＦＦＴ）によるＯＦＤＭシンボルデータ（ベースバンドＯＦＤＭ信号）の生成等を含むものであってもよい。一方、コントロールプレーン処理は、レイヤ１（ｅ．ｇ．，送信電力制御）、レイヤ２（ｅ．ｇ．，無線リソース管理、及びｈｙｂｒｉｄ  ａｕｔｏｍａｔｉｃ  ｒｅｐｅａｔ  ｒｅｑｕｅｓｔ（ＨＡＲＱ）処理）、及びレイヤ３（ｅ．ｇ．，アタッチ、モビリティ、及び通話管理に関するシグナリング）の通信管理を含でもよい。
【００９２】
例えば、ＬＴＥ及びＬＴＥ−Ａｄｖａｎｃｅｄの場合、ベースバンドプロセッサによるデジタルベースバンド信号処理は、ＰＤＣＰ（Ｐａｃｋｅｔ  Ｄａｔａ  Ｃｏｎｖｅｒｇｅｎｃｅ  Ｐｒｏｔｏｃｏｌ）レイヤ、ＲＬＣ（Ｒａｄｉｏ  Ｌｉｎｋ  Ｃｏｎｔｒｏｌ）レイヤ、ＭＡＣ（Ｍｅｄｉｕｍ  Ａｃｃｅｓｓ  Ｃｏｎｔｒｏｌ）レイヤ、およびＰＨＹ（Ｐｈｙｓｉｃａｌ）レイヤの信号処理を含んでもよい。また、ベースバンドプロセッサ２００３によるコントロールプレーン処理は、ＮＡＳ（Ｎｏｎ−Ａｃｃｅｓｓ  Ｓｔｒａｔｕｍ）プロトコル、ＲＲＣ（Ｒａｄｉｏ  Ｒｅｓｏｕｒｃｅ  Ｃｏｎｔｒｏｌ）プロトコル、及びＭＡＣ  ＣＥ（ＭＡＣ  Ｃｏｎｔｒｏｌ  Ｅｌｅｍｅｎｔ）の処理を含んでもよい。
【００９３】
ベースバンドプロセッサは、デジタルベースバンド信号処理を行うモデム・プロセッサ（ｅ．ｇ．，ＤＳＰ（Ｄｉｇｉｔａｌ  Ｓｉｇｎａｌ  Ｐｒｏｃｅｓｓｏｒ））とコントロールプレーン処理を行うプロトコルスタック・プロセッサ（ｅ．ｇ．，ＣＰＵ（Ｃｅｎｔｒａｌ  Ｐｒｏｃｅｓｓｉｎｇ  Ｕｎｉｔ）、またはＭＰＵ（Ｍｉｃｒｏ  Ｐｒｏｃｅｓｓｉｎｇ  Ｕｎｉｔ））を含んでもよい。この場合、コントロールプレーン処理を行うプロトコルスタック・プロセッサは、後述するアプリケーションプロセッサと共通化されてもよい。
【００９４】
アプリケーションプロセッサは、ＣＰＵ、ＭＰＵ、マイクロプロセッサ、又はプロセッサコアとも呼ばれる。アプリケーションプロセッサは、複数のプロセッサ（複数のプロセッサコア）を含んでもよい。アプリケーションプロセッサは、メモリ又は図示されていないメモリから読み出されたシステムソフトウェアプログラム（ＯＳ（Ｏｐｅｒａｔｉｎｇ  Ｓｙｓｔｅｍ））及び様々なアプリケーションプログラム（例えば、通話アプリケーション、ＷＥＢブラウザ、メーラ、カメラ操作アプリケーション、音楽再生アプリケーション）を実行することによって、端末装置の各種機能を実現する。
【００９５】
いくつかの実装において、ベースバンドプロセッサ及びアプリケーションプロセッサは、１つのチップ上に集積されてもよい。言い換えると、ベースバンドプロセッサ及びアプリケーションプロセッサは、１つのＳｏＣ（Ｓｙｓｔｅｍ  ｏｎ Ｃｈｉｐ）デバイスとして実装されてもよい。ＳｏＣデバイスは、システムＬＳＩ（Ｌａｒｇｅ  Ｓｃａｌｅ  Ｉｎｔｅｇｒａｔｉｏｎ）またはチップセットと呼ばれることもある。
【００９６】
メモリは、揮発性メモリ若しくは不揮発性メモリ又はこれらの組合せである。メモリは、物理的に独立した複数のメモリデバイスを含んでもよい。揮発性メモリは、例えば、ＳＲＡＭ（Ｓｔａｔｉｃ  Ｒａｎｄｏｍ  Ａｃｃｅｓｓ  Ｍｅｍｏｒｙ）若しくはＤＲＡＭ（Ｄｙｎａｍｉｃ  ＲＡＭ）又はこれらの組み合わせである。不揮発性メモリは、マスクＭＲＯＭ（Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、フラッシュメモリ、若しくはハードディスクドライブ、又はこれらの任意の組合せである。例えば、メモリは、ベースバンドプロセッサ、アプリケーションプロセッサ、及びＳｏＣからアクセス可能な外部メモリデバイスを含んでもよい。メモリは、ベースバンドプロセッサ内、アプリケーションプロセッサ内、又はＳｏＣ内に集積された内蔵メモリデバイスを含んでもよい。さらに、メモリは、ＵＩＣＣ（Ｕｎｉｖｅｒｓａｌ  Ｉｎｔｅｇｒａｔｅｄ  Ｃｉｒｃｕｉｔ  Ｃａｒｄ）内のメモリを含んでもよい。
【００９７】
メモリは、上述の複数の実施形態で説明された端末装置による処理を行うための命令群およびデータを含むソフトウェアモジュール（コンピュータプログラム）を格納してもよい。いくつかの実装において、ベースバンドプロセッサ又はアプリケーションプロセッサは、当該ソフトウェアモジュールをメモリから読み出して実行することで、上述の実施形態で説明された端末装置の処理を行うよう構成されてもよい。
【００９８】
（付記１）
基地局と無線通信する端末装置であって、
前記端末装置のモビリティに関する第１の情報を受信した基地局から、
前記第１の情報に基づいて、前記基地局が決定した、基地局のスキャンに関する第２の情報を受信する、端末装置。
【００９９】
（付記２）
前記第１の情報が、
前記端末装置のモビリティの程度が、予め定めた閾値以下であることを示す、付記１に記載の端末装置。
【０１００】
（付記３）
前記第２の情報が、基地局のスキャンを行わないように指示する情報である、付記１または２に記載の端末装置。
【０１０１】
（付記４）
前記第１の情報が、前記端末装置のモビリティの程度が、予め定めた閾値以下であることを示す場合に、
前記第２の情報が、基地局のスキャンを行わないように指示する情報である、
付記１に記載の端末装置。
【０１０２】
（付記５）
前記第１の情報を、前記端末装置の位置に関する第３の情報に基づいて決定する、付記１乃至４のいずれかに記載の端末装置。
【０１０３】
（付記６）
前記第２の情報が、前記端末装置への無線設定要求メッセージに含めて送信される、
付記１乃至５のいずれかに記載の端末装置。
【０１０４】
（付記７）
前記第１の情報が、コアネットワーク装置によって決定される、
付記１乃至６のいずれかに記載の端末装置。
【０１０５】
（付記８）
前記第３の情報を、前記コアネットワーク装置へ送信する、
付記５乃至７のいずれかに記載の端末装置。
【０１０６】
（付記９）
無線通信システムにおけるコアネットワーク装置であって、
端末装置のモビリティに関する第１の情報を基地局へ送信し、
前記基地局が、前記基地局のスキャンに関する第２の情報を、端末装置へ送信する、コアネットワーク装置。
【０１０７】
（付記１０）
前記第１の情報が、
前記端末装置のモビリティの程度が、予め定めた閾値以下であることを示す、付記９に記載のコアネットワーク装置。
【０１０８】
（付記１１）
前記第２の情報が、基地局のスキャンを行わないように指示する情報である、付記９または１０に記載のコアネットワーク装置。
【０１０９】
（付記１２）
前記第１の情報が、前記端末装置のモビリティの程度が、予め定めた閾値以下であることを示す場合に、
前記第２の情報が、基地局のスキャンを行わないように指示する情報である、
付記９に記載のコアネットワーク装置。
【０１１０】
（付記１３）
前記第１の情報が、前記端末装置の位置に関する第３の情報に基づいて決定される、付記９乃至１２のいずれかに記載のコアネットワーク装置。
【０１１１】
（付記１４）
前記第２の情報が、前記端末装置への無線設定要求メッセージに含めて送信される、
付記９乃至１３のいずれかに記載のコアネットワーク装置。
【０１１２】
（付記１５）
前記第１の情報を決定する、
付記９乃至１４に記載のコアネットワーク装置。
【０１１３】
（付記１６）
前記第３の情報を、前記端末装置から受信する、
付記１３乃至１５に記載のコアネットワーク装置。
【符号の説明】
【０１１４】
１、１１、１２    端末装置
１１１    表示部
１１２    入力部
１１３    無線インターフェース部
１１４    制御部
１１５    位置測定部
１１６    スキャン部
１１７    メモリ
２、２１、２２、２３、３４    基地局
２１１    無線アクセスネットワークインターフェース部
２１２    コアインターフェース部
２１３    制御部
２１４    信号処理部
２１５    メモリ
２１０、２２０、２３０、２４０    セル
３    コアネットワーク装置
３１１    基地局インターフェース部
３１２    ネットワークインターフェース部
３１３    制御部
３１４    端末管理部
３１５    メモリ
【図１】
0006613975.tif 000002
【図２】
0006613975.tif 000003
【図３】
0006613975.tif 000004
【図４】
0006613975.tif 000005
【図５】
0006613975.tif 000006
【図６】
0006613975.tif 000007
【図７】
0006613975.tif 000008
【図８】
0006613975.tif 000009